(57)【要約】【課題】発進する際の手動変速機のシフト変更時に過早着火が生じることを抑制する。【解決手段】エンジン１は、手動変速機９１と、インジェクタ６７と、ＰＣＭ１０とを備えている。ＰＣＭ１０は、発進時に手動変速機９１がニュートラル状態から変更されてエンジン本体の回転数が低下したときには、インジェクタ６７による燃料噴射時期を手動変速機９１の状態変更前よりも遅角させる。【選択図】図８
2014051937.tif 000002
【特許請求の範囲】
【請求項１】
気筒を有し、幾何学的圧縮比が１５以上に設定されたエンジン本体と、
前記エンジン本体に接続された手動変速機と、
前記気筒内に燃料を噴射するように構成された燃料噴射弁と、
少なくとも前記燃料噴射弁を制御することによって前記エンジン本体を運転するように構成された制御器とを備え、
前記制御器は、発進時に前記手動変速機がニュートラル状態から変更されて前記エンジン本体の回転数が低下したときには、前記燃料噴射弁による燃料噴射時期を該手動変速機の状態変更前よりも遅角させる火花点火式エンジン。
【請求項２】
気筒を有し、幾何学的圧縮比が１５以上に設定されたエンジン本体と、
前記エンジン本体に接続された手動変速機と、
前記気筒内に燃料を噴射するように構成された燃料噴射弁と、
少なくとも前記燃料噴射弁を制御することによって前記エンジン本体を運転するように構成された制御器とを備え、
前記制御器は、
吸気行程から圧縮行程の間に、少なくとも前段噴射と該前段噴射よりも後の後段噴射とを含む分割噴射を前記燃料噴射弁に行わせるように構成されており、
発進時に前記手動変速機がニュートラル状態から変更されて前記エンジン本体の回転数が低下したときには、前記燃料噴射弁による全噴射量に対する前記後段噴射の噴射量の割合を該手動変速機の状態変更前よりも高くする火花点火式エンジン。
【請求項３】
請求項１又は２に記載の火花点火式エンジンにおいて、
前記燃料噴射弁が噴射する燃料の圧力を設定するように構成された燃圧設定機構をさらに備え、
前記制御器は、発進時に前記手動変速機がニュートラル状態から変更されて前記エンジン本体の回転数が低下したときの燃料噴射の燃料の圧力を、前記燃圧設定機構を制御して該手動変速機の状態変更前よりも高くする火花点火式エンジン。
【請求項４】
請求項３に記載の火花点火式エンジンにおいて、
前記制御器は、発進時に前記手動変速機がニュートラル状態から変更されたときに、前記燃圧設定機構を制御して燃料の圧力を高めておく火花点火式エンジン。
【請求項５】
請求項３に記載の火花点火式エンジンにおいて、
前記手動変速機の状態変更前よりも高められる燃料の圧力は、３０ＭＰａ以上である火花点火式エンジン。
【請求項６】
請求項１又は２に記載の火花点火式エンジンにおいて、
排気ガスを前記気筒内に導入するように構成された排気還流機構をさらに備え、
前記制御器は、アイドリング時には、前記排気還流機構によって前記気筒内に前記排気ガスを導入すると共に、前記気筒内の混合気を自着火により燃焼させる圧縮着火燃焼を行って前記エンジン本体を運転するように構成されている火花点火式エンジン。
【請求項７】
請求項１に記載の火花点火式エンジンにおいて、
前記制御器は、前記気筒内の温度が所定温度以上のときに、前記燃料噴射時期を遅角させる制御を行う火花点火式エンジン。
【請求項８】
請求項２に記載の火花点火式エンジンにおいて、
前記制御器は、前記気筒内の温度が所定温度以上のときに、前記後段噴射の噴射量の割合を高くする制御を行う火花点火式エンジン。
【発明の詳細な説明】
【技術分野】
【０００１】
ここに開示する技術は、火花点火式エンジンに関するものである。
【背景技術】
【０００２】
特許文献１には、所望のタイミングよりも早く自己着火してしまう過早着火を抑制するようにしたエンジンが開示されている。具体的には、吸気上死点の前後で、吸気弁及び排気弁の両方を閉じた、負のオーバーラップ期間を設けることにより内部ＥＧＲを実行するエンジンにおいて、高回転・高負荷の運転領域では、排気弁閉時期から吸気上死点までの期間に比べて、吸気上死点から吸気弁開時期までの期間の方を短くしている。こうすることで、気筒内に残留したガスの一部が吸気弁が開いたときに吸気ポート内に吹き戻され、その残留ガスは、新気と共に再び気筒内に吸入される。残留ガスの一部が吸気ポート内に吹き戻されることによって該残留ガスが冷却されるので、気筒内の温度を低下させることができ、過早着火の発生を抑制している。
【先行技術文献】
【特許文献】
【０００３】
【特許文献１】特開２００９−１９７７４０号公報
【発明の概要】
【発明が解決しようとする課題】
【０００４】
前記特許文献１に係るエンジンは、高回転・高負荷領域では燃料噴射量が多くなること及び気筒内の温度が上昇することに起因して発生する過早着火を問題視している。ところが、過早着火を生じる原因はこれに限られず、過早着火は様々な状況で生じ得る。
【０００５】
本発明者は、手動変速機のシフトアップ時、特に、発進時に過早着火が生じ得ることを見出した。
【０００６】
ここに開示された技術は、かかる点に鑑みてなされたものであり、その目的とするところは、発進する際の手動変速機のシフト変更時に過早着火が生じることを抑制することにある。
【課題を解決するための手段】
【０００７】
ここに開示された技術は、気筒を有し、幾何学的圧縮比が１５以上に設定されたエンジン本体と、前記エンジン本体に接続された手動変速機と、前記気筒内に燃料を噴射するように構成された燃料噴射弁と、少なくとも前記燃料噴射弁を制御することによって前記エンジン本体を運転するように構成された制御器とを備えた火花点火式エンジンであって、前記制御器は、発進時に前記手動変速機がニュートラル状態から変更されて前記エンジン本体の回転数が低下したときには、前記燃料噴射弁による燃料噴射時期を該手動変速機の状態変更前よりも遅角させるものとする。
【０００８】
手動変速機を備えたエンジンにおいて、発進時に手動変速機をニュートラル状態から１速や２速等にシフト変更するときには、一旦遮断したクラッチを再び締結するときにエンジン回転数が低下する。エンジン回転数が低下すると、気筒内の未燃混合気が高温に晒される時間が長くなる。その結果、過早着火が生じる可能性が高くなる。
【０００９】
そこで、前記の構成によれば、発進時に前記手動変速機がニュートラル状態から変更されて前記エンジン本体の回転数が低下したときに、前記燃料噴射弁による燃料噴射時期を該手動変速機の状態変更前よりも遅角させる。こうすることによって、気筒内の未燃混合気が高温に晒される時間を短縮することができ、ひいては、過早着火の発生を抑制することができる。
【００１０】
また、ここに開示された技術は、気筒を有し、幾何学的圧縮比が１５以上に設定されたエンジン本体と、前記エンジン本体に接続された手動変速機と、前記気筒内に燃料を噴射するように構成された燃料噴射弁と、少なくとも前記燃料噴射弁を制御することによって前記エンジン本体を運転するように構成された制御器とを備えた火花点火式エンジンであって、前記制御器は、吸気行程から圧縮行程の間に、少なくとも前段噴射と該前段噴射よりも後の後段噴射とを含む分割噴射を前記燃料噴射弁に行わせるように構成されており、発進時に前記手動変速機がニュートラル状態から変更されて前記エンジン本体の回転数が低下したときには、前記燃料噴射弁による全噴射量に対する前記後段噴射の噴射量の割合を該手動変速機の状態変更前よりも高くするものとする。
【００１１】
前記の構成によれば、発進時に前記手動変速機がニュートラル状態から変更されて前記エンジン本体の回転数が低下したときに、分割噴射のうち後段噴射の噴射量の割合を高くする。こうすることによって、気筒内で高温に晒される燃料を低減することができ、ひいては、過早着火の発生を抑制することができる。
【００１２】
また、前記火花点火式エンジンは、前記燃料噴射弁が噴射する燃料の圧力を設定するように構成された燃圧設定機構をさらに備え、前記制御器は、発進時に前記手動変速機がニュートラル状態から変更されて前記エンジン本体の回転数が低下したときの燃料噴射の燃料の圧力を、前記燃圧設定機構を制御して該手動変速機の状態変更前よりも高くするようにしてもよい。
【００１３】
前記の構成によれば、発進時に前記手動変速機がニュートラル状態から変更されて前記エンジン本体の回転数が低下したときに、燃料噴射時期を遅角させる、又は、分割噴射のうち後段噴射の噴射量の割合を高くする際に、燃料の圧力が高められる。そのため、燃料噴射時期を遅角させる、又は、分割噴射のうち後段噴射の噴射量の割合を高くした場合であっても、必要な量の燃料を所望の着火時期までに噴射することができる。
【００１４】
さらに、燃料の圧力を上昇させると、前記噴射期間及び混合気形成期間を短縮することができる。そのため、同じ燃圧で噴射時期だけを遅角させる場合に比べて、未燃混合気が高温に晒される時間をより短くすることができる。
【００１５】
それに加えて、燃料の圧力を上昇させると、微粒化した燃料のミキシング性が高まり、概ね均質な混合気を速やかに形成することができる。そのため、噴射時期を遅角させたとしても、着火性を向上させることができる。
【００１６】
さらに、前記制御器は、発進時に前記手動変速機がニュートラル状態から変更されたときに、前記燃圧設定機構を制御して燃料の圧力を高めておいてもよい。
【００１７】
前記の構成によれば、発進時に手動変速機がニュートラル状態から変更された段階で、エンジン本体の回転数が低下したか否かにかかわらず、燃料の圧力を高めておく。こうすることによって、その後、エンジン本体の回転数が低下したときには、高い圧力の燃料を即座に供給することができる。
【００１８】
前記手動変速機の状態変更前よりも高められる燃料の圧力は、３０ＭＰａ以上であってもよい。
【００１９】
また、前記火花点火式エンジンは、排気ガスを前記気筒内に導入するように構成された排気還流機構をさらに備え、前記制御器は、アイドリング時には、前記排気還流機構によって前記気筒内に前記排気ガスを導入すると共に、前記気筒内の混合気を自着火により燃焼させる圧縮着火燃焼を行って前記エンジン本体を運転するように構成されていてもよい。
【００２０】
前記の構成によれば、アイドリング時には、気筒内に排気ガスが導入されて圧縮着火燃焼を行っている。すなわち、発進時に前記手動変速機がニュートラル状態から変更される前の状態においては、気筒内は未燃混合気が自着火し易い環境になっており、この状態からエンジン回転数が低下して未燃混合気が高温に晒される時間が長くなると、過早着火が発生し易い。つまり、このような構成のエンジンにおいては、前述のような燃料噴射時期を遅角させる、又は、分割噴射のうち後段噴射の噴射量の割合を高くすることが特に効果的となる。
【００２１】
また、前記制御器は、前記気筒内の温度が所定温度以上のときに、前記燃料噴射時期を遅角させる制御、又は、前記後段噴射の噴射量の割合を高くする制御を行うようにしてもよい。
【００２２】
つまり、気筒内の温度が低い場合には、過早着火が生じる可能性は低い。そこで、気筒内の温度が高いときだけ、前記燃料噴射時期を遅角させる制御、又は、前記後段噴射の噴射量の割合を高くする制御を行う。これにより、過早着火が生じる可能性が低いときには燃料が吸気流動によって新気と混合される期間を長くすることができ、均質な混合気を形成することができる。
【発明の効果】
【００２３】
前記火花点火式エンジンによれば、発進する際の手動変速機のシフト変更時に過早着火が生じることを抑制することができる。
【図面の簡単な説明】
【００２４】
【図１】火花点火式直噴エンジンの構成を示す概略図である。
【図２】火花点火式直噴エンジンの制御に係るブロック図である。
【図３】燃焼室を拡大して示す断面図である。
【図４】エンジンの運転領域を例示する図である。
【図５】（ａ）ＣＩモードにおいて吸気行程噴射を行う場合の燃料噴射時期の一例と、それに伴うＣＩ燃焼の熱発生率の例示、（ｂ）ＣＩモードにおいて高圧リタード噴射を行う場合の燃料噴射時期の一例と、それに伴うＣＩ燃焼の熱発生率の例示、（ｃ）ＳＩモードにおいて高圧リタード噴射を行う場合の燃料噴射時期及び点火時期の一例と、それに伴うＳＩ燃焼の熱発生率の例示、（ｄ）ＳＩモードにおいて吸気行程噴射と高圧リタード噴射との分割噴射を行う場合の燃料噴射時期及び点火時期の一例と、それに伴うＳＩ燃焼の熱発生率の例示である。
【図６】高圧リタード噴射によるＳＩ燃焼の状態と、従来のＳＩ燃焼の状態とを比較する図である。
【図７】発進時リタード制御におけるクラッチ、シフト及びエンジン回転数の状態を示す図である。
【図８】発進時リタード制御の処理を示すフローチャートである。
【発明を実施するための形態】
【００２５】
以下、火花点火式直噴エンジンの実施形態を図面に基づいて説明する。以下の好ましい実施形態の説明は、例示である。
【００２６】
《実施形態１》
図１，２は、実施形態１に係るエンジン（エンジン本体）１の概略構成を示す。このエンジン１は、車両に搭載されると共に、少なくともガソリンを含有する燃料が供給される火花点火式ガソリンエンジンである。エンジン１は、複数の気筒１８が設けられたシリンダブロック１１（尚、図１では、１つの気筒のみを図示するが、例えば４つの気筒が直列に設けられる）と、このシリンダブロック１１上に配設されたシリンダヘッド１２と、シリンダブロック１１の下側に配設され、潤滑油が貯留されたオイルパン１３とを有している。各気筒１８内には、コンロッド１４２を介してクランクシャフト１５と連結されているピストン１４が往復動可能に嵌挿されている。ピストン１４の頂面には、図３に拡大して示すように、ディーゼルエンジンでのリエントラント型のようなキャビティ１４１が形成されている。キャビティ１４１は、ピストン１４が圧縮上死点付近に位置するときには、後述するインジェクタ６７に相対する。シリンダヘッド１２と、気筒１８と、キャビティ１４１を有するピストン１４とは、燃焼室１９を区画する。尚、燃焼室１９の形状は、図示する形状に限定されるものではない。例えばキャビティ１４１の形状、ピストン１４の頂面形状、及び、燃焼室１９の天井部の形状等は、適宜変更することが可能である。
【００２７】
このエンジン１は、理論熱効率の向上や、後述する圧縮着火燃焼の安定化等を目的として、１５以上の比較的高い幾何学的圧縮比に設定されている。尚、幾何学的圧縮比は１５以上２０以下程度の範囲で、適宜設定すればよい。
【００２８】
シリンダヘッド１２には、気筒１８毎に、吸気ポート１６及び排気ポート１７が形成されていると共に、これら吸気ポート１６及び排気ポート１７には、燃焼室１９側の開口を開閉する吸気弁２１及び排気弁２２がそれぞれ配設されている。
【００２９】
吸気弁２１及び排気弁２２をそれぞれ駆動する動弁系の内、排気側には、排気弁２２の作動モードを通常モードと特殊モードとに切り替える、例えば油圧作動式の可変機構（図２参照。以下、ＶＶＬ（Variable Valve Lift）と称する）７１が設けられている。ＶＶＬ７１は、その構成の詳細な図示は省略するが、カム山を一つ有する第１カムとカム山を２つ有する第２カムとの、カムプロファイルの異なる２種類のカム、及び、その第１及び第２カムのいずれか一方のカムの作動状態を選択的に排気弁２２に伝達するロストモーション機構を含んで構成されている。第１カムの作動状態を排気弁２２に伝達しているときには、排気弁２２は、排気行程中において一度だけ開弁される通常モードで作動するのに対し、第２カムの作動状態を排気弁２２に伝達しているときには、排気弁２２が、排気行程中において開弁すると共に、吸気行程中においても開弁するような、いわゆる排気の二度開きを行う特殊モードで作動する。ＶＶＬ７１の通常モードと特殊モードとは、エンジンの運転状態に応じて切り替えられる。具体的に、特殊モードは、内部ＥＧＲに係る制御の際に利用される。つまり、排気弁２２及びＶＶＬ７１は、排気還流機構の１つ、例えば、第１排気還流機構を構成する。また、ＶＶＬ７１が動弁機構を構成する。
【００３０】
以下の説明においては、ＶＶＬ７１を通常モードで作動させ、排気二度開きを行わないことを、「ＶＶＬ７１をオフにする」といい、ＶＶＬ７１を特殊モードで作動させ、排気二度開きを行うことを、「ＶＶＬ７１をオンにする」という場合がある。尚、こうした通常モードと特殊モードとの切り替えを可能にする上で、排気弁２２を電磁アクチュエータによって駆動する電磁駆動式の動弁系を採用してもよい。また、内部ＥＧＲの実行は、排気二度開きのみによって実現されるのではない。例えば吸気弁２１を二回開く、吸気の二度開きによって内部ＥＧＲ制御を行ってもよいし、排気行程乃至吸気行程において吸気弁２１及び排気弁２２の双方を閉じるネガティブオーバーラップ期間を設けて既燃ガスを気筒１８内に残留させる内部ＥＧＲ制御を行ってもよい。
【００３１】
ＶＶＬ７１を備えた排気側の動弁系に対し、吸気側には、図２に示すように、クランクシャフト１５に対する吸気カムシャフトの回転位相を変更することが可能な位相可変機構（以下、ＶＶＴ（Variable Valve Timing）と称する）７２と、吸気弁２１のリフト量を連続的に変更することが可能なリフト量可変機構（以下、ＣＶＶＬ（Continuously Variable Valve Lift）と称する）７３とが設けられている。ＶＶＴ７２は、液圧式、電磁式又は機械式の公知の構造を適宜採用すればよく、その詳細な構造についての図示は省略する。また、ＣＶＶＬ７３も、公知の種々の構造を適宜採用することが可能であり、その詳細な構造についての図示は省略する。ＶＶＴ７２及びＣＶＶＬ７３によって、吸気弁２１はその開弁タイミング及び閉弁タイミング、並びに、リフト量をそれぞれ変更することが可能である。
【００３２】
シリンダヘッド１２にはまた、気筒１８毎に、気筒１８内に燃料を直接噴射するインジェクタ６７が取り付けられている。インジェクタ６７は、図３に拡大して示すように、その噴口が燃焼室１９の天井面の中央部分から、その燃焼室１９内に臨むように配設されている。インジェクタ６７は、エンジン１の運転状態に応じて設定された噴射タイミングでかつ、エンジン１の運転状態に応じた量の燃料を、燃焼室１９内に直接噴射する。この例において、インジェクタ６７は、詳細な図示は省略するが、複数の噴口を有する多噴口型のインジェクタである。これによって、インジェクタ６７は、燃料噴霧が、燃焼室１９の中心位置から放射状に広がるように、燃料を噴射する。インジェクタ６７が燃料噴射弁を構成する。
【００３３】
図３に矢印で示すように、ピストン１４が圧縮上死点付近に位置するタイミングで、燃焼室１９の中央部分から放射状に広がるように噴射された燃料噴霧は、ピストン頂面に形成されたキャビティ１４１の壁面に沿って流動する。キャビティ１４１は、ピストン１４が圧縮上死点付近に位置するタイミングで噴射された燃料噴霧を、その内部に収めるように形成されている、と言い換えることが可能である。この多噴口型のインジェクタ６７とキャビティ１４１との組み合わせは、燃料の噴射後、混合気形成期間を短くすると共に、燃焼期間を短くする上で有利な構成である。尚、インジェクタ６７は、多噴口型のインジェクタに限定されず、外開弁タイプのインジェクタを採用してもよい。
【００３４】
図外の燃料タンクとインジェクタ６７との間は、燃料供給経路によって互いに連結されている。この燃料供給経路上には、燃料ポンプ６３とコモンレール６４とを含みかつ、インジェクタ６７に、比較的高い燃料圧力で燃料を供給することが可能な燃料供給システム６２が介設されている。燃料ポンプ６３は、燃料タンクからコモンレール６４に燃料を圧送し、コモンレール６４は圧送された燃料を、比較的高い燃料圧力で蓄えることが可能である。インジェクタ６７が開弁することによって、コモンレール６４に蓄えられている燃料がインジェクタ６７の噴口から噴射される。ここで、燃料ポンプ６３は、図示は省略するが、プランジャー式のポンプであり、エンジン１によって駆動される。このエンジン駆動のポンプを含む構成の燃料供給システム６２は、３０ＭＰａ以上の高い燃料圧力の燃料を、インジェクタ６７に供給することを可能にする。燃料圧力は、最大で１２０ＭＰａ程度に設定してもよい。インジェクタ６７に供給される燃料の圧力は、後述するように、エンジン１の運転状態に応じて変更される。尚、燃料供給システム６２は、この構成に限定されるものではない。この燃料供給システム６２が燃圧設定機構を構成する。
【００３５】
シリンダヘッド１２にはまた、図３に示すように、燃焼室１９内の混合気に点火する点火プラグ２５が取り付けられている。点火プラグ２５は、この例では、エンジン１の排気側から斜め下向きに延びるように、シリンダヘッド１２内を貫通して配置されている。図３に示すように、点火プラグ２５の先端は、圧縮上死点に位置するピストン１４のキャビティ１４１内に臨んで配置される。
【００３６】
エンジン１の一側面には、図１に示すように、各気筒１８の吸気ポート１６に連通するように吸気通路３０が接続されている。一方、エンジン１の他側面には、各気筒１８の燃焼室１９からの既燃ガス（排気ガス）を排出する排気通路４０が接続されている。
【００３７】
吸気通路３０の上流端部には、吸入空気を濾過するエアクリーナ３１が配設されている。また、吸気通路３０における下流端近傍には、サージタンク３３が配設されている。このサージタンク３３よりも下流側の吸気通路３０は、各気筒１８毎に分岐する独立通路とされ、これら各独立通路の下流端が各気筒１８の吸気ポート１６にそれぞれ接続されている。
【００３８】
吸気通路３０におけるエアクリーナ３１とサージタンク３３との間には、空気を冷却又は加熱する、水冷式のインタークーラ／ウォーマ３４と、各気筒１８への吸入空気量を調節するスロットル弁３６とが配設されている。吸気通路３０にはまた、インタークーラ／ウォーマ３４をバイパスするインタークーラバイパス通路３５が接続されており、このインタークーラバイパス通路３５には、当該通路３５を通過する空気流量を調整するためのインタークーラバイパス弁３５１が配設されている。インタークーラバイパス弁３５１の開度調整を通じて、インタークーラバイパス通路３５の通過流量とインタークーラ／ウォーマ３４の通過流量との割合を調整することにより、気筒１８に導入する新気の温度を調整することが可能である。
【００３９】
排気通路４０の上流側の部分は、各気筒１８毎に分岐して排気ポート１７の外側端に接続された独立通路と該各独立通路が集合する集合部とを有する排気マニホールドによって構成されている。この排気通路４０における排気マニホールドよりも下流側には、排気ガス中の有害成分を浄化する排気浄化装置として、直キャタリスト４１とアンダーフットキャタリスト４２とがそれぞれ接続されている。直キャタリスト４１及びアンダーフットキャタリスト４２はそれぞれ、筒状ケースと、そのケース内の流路に配置した、例えば三元触媒とを備えて構成されている。直キャタリスト４１及びアンダーフットキャタリスト４２が触媒を構成する。
【００４０】
吸気通路３０におけるサージタンク３３とスロットル弁３６との間の部分と、排気通路４０における直キャタリスト４１よりも上流側の部分とは、排気ガスの一部（ＥＧＲガス）を吸気通路３０に還流するためのＥＧＲ通路５０を介して接続されている。このＥＧＲ通路５０は、排気ガスをエンジン冷却水によって冷却するためのＥＧＲクーラ５２が配設された主通路５１と、ＥＧＲクーラ５２をバイパスするためのＥＧＲクーラバイパス通路５３と、を含んで構成されている。主通路５１には、排気ガスの吸気通路３０への還流量を調整するためのＥＧＲ弁５１１が配設され、ＥＧＲクーラバイパス通路５３には、ＥＧＲクーラバイパス通路５３を流通する排気ガスの流量を調整するためのＥＧＲクーラバイパス弁５３１が配設されている。これらＥＧＲ通路５０、主通路５１、ＥＧＲ弁５１１、ＥＧＲクーラ５２、ＥＧＲクーラバイパス通路５３及びＥＧＲクーラバイパス弁５３１が排気還流機構の１つ、例えば、第２排気還流機構を構成する。
【００４１】
また、エンジン１のクランクシャフト１５には、クラッチ９２を介して手動変速機９１が接続されている。手動変速機９１は、運転者のシフトレバー９３の操作に応じて、ギアが変更される。
【００４２】
このように構成されたエンジン１は、パワートレイン・コントロール・モジュール（以下、ＰＣＭという）１０によって制御される。ＰＣＭ１０は、ＣＰＵ、メモリ、カウンタタイマ群、インターフェース及びこれらのユニットを接続するパスを有するマイクロプロセッサで構成されている。このＰＣＭ１０が制御器を構成する。
【００４３】
ＰＣＭ１０には、図１，２に示すように、各種のセンサＳＷ１〜ＳＷ１８の検出信号が入力される。この各種のセンサには、次のセンサが含まれる。すなわち、エアクリーナ３１の下流側で、新気の流量を検出するエアフローセンサＳＷ１及び新気の温度を検出する吸気温度センサＳＷ２、インタークーラ／ウォーマ３４の下流側に配置されかつ、インタークーラ／ウォーマ３４を通過した後の新気の温度を検出する、第２吸気温度センサＳＷ３、ＥＧＲ通路５０における吸気通路３０との接続部近傍に配置されかつ、外部ＥＧＲガスの温度を検出するＥＧＲガス温センサＳＷ４、吸気ポート１６に取り付けられかつ、気筒１８内に流入する直前の吸気の温度を検出する吸気ポート温度センサＳＷ５、シリンダヘッド１２に取り付けられかつ、気筒１８内の圧力を検出する筒内圧センサＳＷ６、排気通路４０におけるＥＧＲ通路５０の接続部近傍に配置されかつ、それぞれ排気温度及び排気圧力を検出する排気温センサＳＷ７及び排気圧センサＳＷ８、直キャタリスト４１の上流側に配置されかつ、排気中の酸素濃度を検出するリニアＯ２センサＳＷ９、直キャタリスト４１とアンダーフットキャタリスト４２との間に配置されかつ、排気中の酸素濃度を検出するラムダＯ２センサＳＷ１０、エンジン冷却水の温度を検出する水温センサＳＷ１１、クランクシャフト１５の回転角を検出するクランク角センサＳＷ１２、車両のアクセルペダル（図示省略）の操作量に対応したアクセル開度を検出するアクセル開度センサＳＷ１３、吸気側及び排気側のカム角センサＳＷ１４，ＳＷ１５、燃料供給システム６２のコモンレール６４に取り付けられかつ、インジェクタ６７に供給する燃料圧力を検出する燃圧センサＳＷ１６、車速を検出する車速センサＳＷ１７、及び、シフトレバー９３のポジションを検出するポジションセンサＳＷ１８である。
【００４４】
ＰＣＭ１０は、これらの検出信号に基づいて種々の演算を行うことによってエンジン１や車両の状態を判定し、これに応じてインジェクタ６７、点火プラグ２５、吸気弁側のＶＶＴ７２及びＣＶＶＬ７３、排気弁側のＶＶＬ７１、燃料供給システム６２、発電機８１並びに、各種の弁（スロットル弁３６、インタークーラバイパス弁３５１、ＥＧＲ弁５１１、及びＥＧＲクーラバイパス弁５３１）のアクチュエータへ制御信号を出力する。こうしてＰＣＭ１０は、エンジン１を運転する。
【００４５】
図４は、エンジン１の運転領域の一例を示している。このエンジン１は、燃費の向上や排気エミッション性能の向上を目的として、エンジン負荷が相対的に低い低負荷域では、点火プラグ２５による点火を行わずに、圧縮自己着火によって燃焼を行う圧縮着火燃焼を行う。しかしながら、エンジン１の負荷が高くなるに従って、圧縮着火燃焼では、燃焼が急峻になりすぎてしまい、例えば燃焼騒音等の問題を引き起こすことになる。そのため、このエンジン１では、エンジン負荷が相対的に高い高負荷域では、圧縮着火燃焼を止めて、点火プラグ２５を利用した火花点火燃焼に切り替える。このように、このエンジン１は、エンジン１の運転状態、特にエンジン１の負荷に応じて、圧縮着火燃焼を行うＣＩ（Compression Ignition）モード（圧縮着火モード）と、火花点火燃焼を行うＳＩ（Spark Ignition）モードとを切り替えるように構成されている。但し、モード切り替えの境界線は、図例に限定されるものではない。
【００４６】
ＣＩモードはさらに、エンジン負荷の高低に応じて３つの領域に分けられている。具体的に、ＣＩモードにおいて負荷が最も低い領域（１）では、圧縮着火燃焼の着火性及び安定性を高めるために、相対的に温度の高いＥＧＲガス（以下、ホットＥＧＲガスともいう）を気筒１８内に導入する。これは、ＶＶＬ７１をオンにして、排気弁２２を吸気行程中に開弁する排気の二度開きを行うことによる。ホットＥＧＲガスの導入は、気筒１８内の圧縮端温度を高め、軽負荷である領域（１）において、圧縮着火燃焼の着火性及び安定性を高める上で有利になる。領域（１）ではまた、図５（ａ）に示すように、少なくとも吸気行程から圧縮行程中期までの期間内において、インジェクタ６７が気筒１８内に燃料を噴射することにより、均質なリーン混合気を形成する。混合気の空気過剰率λは、例えば２．４以上に設定してもよく、こうすることで、ＲａｗＮＯｘの生成を抑制して、排気エミッション性能を高めることが可能になる。そうして、そのリーン混合気は、図５（ａ）に示すように、圧縮上死点付近において圧縮自己着火する。
【００４７】
詳細は後述するが、領域（１）における負荷の高い領域、具体的には、領域（１）と領域（２）との境界を含む領域では、少なくとも吸気行程から圧縮行程中期までの期間内において、気筒１８内に燃料を噴射するものの、混合気の空燃比を理論空燃比（λ≒１）に設定する。理論空燃比にすることにより、三元触媒が利用可能になると共に、ＳＩモードとＣＩモードとの間の切り替え時の制御が簡素化し、さらに、ＣＩモードを高負荷側へ拡大可能にすることにも寄与する。
【００４８】
ＣＩモードにおいて、領域（１）よりも負荷の高い領域（２）では、領域（１）の高負荷側と同様に、少なくとも吸気行程から圧縮行程中期までの期間内において、気筒１８内に燃料を噴射し（図５（ａ）参照）、均質な理論空燃比（λ≒１）の混合気を形成する。
【００４９】
領域（２）ではまた、エンジン負荷の上昇に伴い気筒１８内の温度が自然と高まることから、過早着火を回避するためにホットＥＧＲガス量を低下させる。これは、気筒１８内に導入する内部ＥＧＲガス量の調整による。
【００５０】
領域（２）ではさらに、相対的に温度の低いＥＧＲガス（以下、クールドＥＧＲガスともいう）を気筒１８内に導入する。こうして高温のホットＥＧＲガスと低温のクールドＥＧＲガスとを適宜の割合で気筒１８内に導入することにより、気筒１８内の圧縮端温度を適切にし、圧縮着火の着火性を確保しつつも急激な燃焼を回避して、圧縮着火燃焼の安定化を図る。尚、ホットＥＧＲガス及びクールドＥＧＲガスを合わせた、気筒１８内に導入されるＥＧＲガスの割合としてのＥＧＲ率は、混合気の空気過剰率をλ≒１に設定する条件下で可能な限り高いＥＧＲ率に設定される。従って、領域（２）においては、エンジン負荷の増大に伴い燃料噴射量が増大するから、ＥＧＲ率は次第に低下するようになる。
【００５１】
ＣＩモードとＳＩモードとの切り替え境界線を含む、ＣＩモードにおいて最も負荷の高い領域（３）では、気筒１８内の圧縮端温度がさらに高くなるため、領域（１）や領域（２）のように、吸気行程から圧縮行程中期までの期間内で気筒１８内に燃料を噴射してしまうと、過早着火等の異常燃焼が生じるようになる。一方、温度の低いクールドＥＧＲガスを大量に導入して気筒内の圧縮端温度を低下させようとすると、今度は、圧縮着火の着火性が悪化してしまう。つまり、気筒１８内の温度制御だけでは、圧縮着火燃焼を安定して行い得ないため、この領域（３）では、気筒１８内の温度制御に加えて、燃料噴射形態を工夫することによって過早着火等の異常燃焼を回避しつつ、圧縮着火燃焼の安定化を図る。具体的に、この燃料噴射形態は、従来と比較して大幅に高圧化した燃料圧力でもって、図５（ｂ）に示すように、少なくとも圧縮行程後期から膨張行程初期までの期間（以下、この期間をリタード期間と呼ぶ）内で、気筒１８内に燃料噴射を実行するものである。このような高圧リタード噴射により、領域（３）での異常燃焼を回避しつつ、圧縮着火燃焼の安定化が図られる。この高圧リタード噴射に詳細については、後述する。
【００５２】
領域（３）では、領域（２）と同様に、高温のホットＥＧＲガスと低温のクールドＥＧＲガスとを適宜の割合で気筒１８内に導入する。このことにより、気筒１８内の圧縮端温度を適切にして圧縮着火燃焼の安定化を図る。
【００５３】
エンジン負荷の高低に応じて３つの領域に分けられたＣＩモードに対して、ＳＩモードは、エンジン回転数の高低に応じて、領域（４）と領域（５）との２つの領域に分けられている。領域（４）は、図例においては、エンジン１の運転領域を低速、高速の２つに区分したときの低速域に相当し、領域（５）は高速域に相当する。領域（４）と領域（５）との境界はまた、図４に示す運転領域において、負荷の高低に対して回転数方向に傾いているが、領域（４）と領域（５）との境界は図例に限定されるものではない。
【００５４】
領域（４）及び領域（５）のそれぞれにおいて、混合気は、領域（２）及び領域（３）と同等に、理論空燃比（λ≒１）に設定される。従って、混合気の空燃比は、ＣＩモードとＳＩモードとの境界を跨って理論空燃比（λ≒１）で一定にされる。これは、三元触媒の利用を可能にする。また、領域（４）及び領域（５）では、基本的にはスロットル弁３６を全開にする一方で、ＥＧＲ弁５１１の開度調整により、気筒１８内に導入する新気量及び外部ＥＧＲガス量を調整する。こうして気筒１８内に導入するガス割合を調整することは、ポンプ損失の低減と共に、大量のＥＧＲガスを気筒１８内に導入することにより、火花点火燃焼の燃焼温度が低く抑えられ冷却損失の低減も図られる。領域（４）及び領域（５）では、主にＥＧＲクーラ５２を通じて冷却した外部ＥＧＲガスを、気筒１８に導入する。このことによって、異常燃焼の回避に有利になると共に、Ｒａｗ ＮＯｘの生成を抑制するという利点もある。ＥＧＲ弁５１１の開度及びＥＧＲクーラバイパス弁５３１の開度は、エンジン負荷の増大に伴い減少していく。このとき、ＥＧＲ弁５１１の開度の方がＥＧＲクーラバイパス弁５３１の開度よりも相対的に大きく、つまり、クールドＥＧＲガスの方がホットＥＧＲガスよりも多い。そして、エンジン負荷の増大に伴い、ＥＧＲクーラバイパス弁５３１の方がＥＧＲ弁５１１よりも先に全閉状態となる。尚、全開負荷域では、ＥＧＲ弁５１１を閉弁することにより、外部ＥＧＲをゼロにする。
【００５５】
このエンジン１の幾何学的圧縮比は、前述の通り、１５以上（例えば１８）に設定されている。高い圧縮比は、圧縮端温度及び圧縮端圧力を高くするため、ＣＩモードの、特に低負荷の領域（例えば領域（１））では、圧縮着火燃焼の安定化に有利になる。一方で、この高圧縮比エンジン１は、高負荷域であるＳＩモードにおいては、過早着火やノッキングといった異常燃焼が生じやすくなるという問題がある。
【００５６】
そこでこのエンジン１では、ＳＩモードの領域（４）や領域（５）においては、前述した高圧リタード噴射を行うことにより、異常燃焼を回避するようにしている。より詳細には、領域（４）においては、３０ＭＰａ以上の高い燃料圧力でもって、図５（ｃ）に示すように、圧縮行程後期から膨張行程初期にかけてリタード期間内で、気筒１８内に燃料噴射を実行する高圧リタード噴射のみを行う。これに対し、領域（５）においては、図５（ｄ）に示すように、噴射する燃料の一部を、吸気弁２１が開弁している吸気行程期間内で気筒１８内に噴射すると共に、残りの燃料をリタード期間内で気筒１８内に噴射する。つまり、領域（５）では、燃料の分割噴射を行う。ここで、吸気弁２１が開弁している吸気行程期間とは、ピストン位置に基づいて定義した期間ではなく、吸気弁の開閉に基づいて定義した期間であり、ここで言う吸気行程は、ＶＶＴ７２やＣＶＶＬ７３によって変更される吸気弁２１の閉弁時期によって、ピストンが吸気下死点に到達した時点に対しずれる場合がある。
【００５７】
次に、図６を参照しながら、ＳＩモードにおける高圧リタード噴射について説明する。図６は、前述した高圧リタード噴射によるＳＩ燃焼（実線）と、吸気行程中に燃料噴射を実行する従来のＳＩ燃焼（破線）とにおける、熱発生率（上図）及び未燃混合気反応進行度（下図）の違いを比較する図である。図６の横軸はクランク角である。この比較の前提として、エンジン１の運転状態は共に高負荷の低速域（つまり、領域（４））であり、噴射する燃料量は、高圧リタード噴射によるＳＩ燃焼と従来のＳＩ燃焼との場合で互いに同じである。
【００５８】
先ず、従来のＳＩ燃焼では、吸気行程中に気筒１８内に所定量の燃料噴射を実行する（上図の破線）。気筒１８内では、その燃料の噴射後、ピストン１４が圧縮上死点に至るまでの間に、比較的均質な混合気が形成される。そして、この例では、圧縮上死点以降の、白丸で示す所定タイミングで点火が実行され、それによって燃焼が開始する。燃焼の開始後は、図６の上図に破線で示すように、熱発生率のピークを経て燃焼が終了する。燃料噴射の開始から燃焼の終了までの間が未燃混合気の反応可能時間（以下、単に反応可能時間という場合がある）に相当し、図６の下図に破線で示すように、この間に未燃混合気の反応は次第に進行する。同図における点線は、未燃混合気が着火に至る反応度である、着火しきい値を示しており、従来のＳＩ燃焼は、低速域であることと相俟って、反応可能時間が非常に長く、その間、未燃混合気の反応が進行し続けてしまうことから、点火の前後に未燃混合気の反応度が着火しきい値を超えてしまい、過早着火又はノッキングといった異常燃焼を引き起こす。
【００５９】
これに対し、高圧リタード噴射は反応可能時間の短縮を図り、そのことによって異常燃焼を回避することを目的とする。すなわち、反応可能時間は、図６にも示しているように、インジェクタ６７が燃料を噴射する期間（（１）噴射期間）と、噴射終了後、点火プラグ２５の周りに可燃混合気が形成されるまでの期間（（２）混合気形成期間）と、点火によって開始された燃焼が終了するまでの期間（（３）燃焼期間）と、を足し合わせた時間、つまり、（１）＋（２）＋（３）である。高圧リタード噴射は、噴射期間、混合気形成期間及び燃焼期間をそれぞれ短縮し、それによって、反応可能時間を短くする。このことについて、順に説明する。
【００６０】
先ず、高い燃料圧力は、単位時間当たりにインジェクタ６７から噴射される燃料量を相対的に多くする。このため、燃料噴射量を一定とした場合に、燃料圧力と燃料の噴射期間との関係は概ね、燃料圧力が低いほど噴射期間は長くなり、燃料圧力が高いほど噴射期間は短くなる。従って、燃料圧力が従来に比べて大幅に高く設定された高圧リタード噴射は、噴射期間を短縮する。
【００６１】
また、高い燃料圧力は、気筒１８内に噴射する燃料噴霧の微粒化に有利になると共に、燃料噴霧の飛翔距離を、より長くする。このため、燃料圧力と燃料蒸発時間との関係は概ね、燃料圧力が低いほど燃料蒸発時間は長くなり、燃料圧力が高いほど燃料蒸発時間は短くなる。また、燃料圧力と点火プラグ２５の周りに燃料噴霧が到達するまでの時間は概ね、燃料圧力が低いほど到達までの時間は長くなり、燃料圧力が高いほど到達までの時間は短くなる。混合気形成期間は、燃料蒸発時間と、点火プラグ２５の周りへの燃料噴霧到達時間とを足し合わせた時間であるから、燃料圧力が高いほど混合気形成期間は短くなる。従って、燃料圧力が従来に比べて大幅に高く設定された高圧リタード噴射は、燃料蒸発時間及び点火プラグ２５の周りへの燃料噴霧到達時間がそれぞれ短くなる結果、混合気形成期間を短縮する。これに対し、同図に白丸で示すように、従来の、低い燃料圧力での吸気行程噴射は、混合気形成期間が大幅に長くなる。尚、多噴口型のインジェクタ６７とキャビティ１４１との組み合わせは、ＳＩモードにおいては、燃料の噴射後、点火プラグ２５の周りに燃料噴霧が到達するまでの時間を短くする結果、混合気形成期間の短縮に有効である。
【００６２】
このように、噴射期間及び混合気形成期間を短縮することは、燃料の噴射タイミング、より正確には、噴射開始タイミングを、比較的遅いタイミングにすることを可能にする。そこで、高圧リタード噴射では、図６の上図に示すように、圧縮行程後期から膨張行程初期にかけてのリタード期間内に燃料噴射を行う。高い燃料圧力で気筒１８内に燃料を噴射することに伴い、その気筒内の乱れが強くなり、気筒１８内の乱れエネルギが高まるが、この高い乱れエネルギは、燃料噴射のタイミングが比較的遅いタイミングに設定されることと相俟って、燃焼期間の短縮に有利になる。
【００６３】
すなわち、燃料噴射をリタード期間内に行った場合、燃料圧力と燃焼期間内での乱流エネルギとの関係は概ね、燃料圧力が低いほど乱流エネルギが低くなり、燃料圧力が高いほど乱流エネルギは高くなる。ここで、仮に高い燃料圧力で気筒１８内に燃料を噴射するとしても、その噴射タイミングが吸気行程中にある場合は、点火タイミングまでの時間が長いことや、吸気行程後の圧縮行程において気筒１８内が圧縮されることに起因して、気筒１８内の乱れは減衰してしまう。その結果、吸気行程中に燃料噴射を行った場合、燃焼期間内での乱流エネルギは、燃料圧力の高低に拘わらず比較的低くなってしまう。
【００６４】
燃焼期間での乱流エネルギと燃焼期間との関係は概ね、乱流エネルギが低いほど燃焼期間が長くなり、乱流エネルギが高いほど燃焼期間が短くなる。従って、燃料圧力と燃焼期間との関係は、燃料圧力が低いほど燃焼期間は長くなり、燃料圧力が高いほど燃焼期間は短くなる。すなわち、高圧リタード噴射は、燃焼期間を短縮する。これに対し、従来の、低い燃料圧力での吸気行程噴射は、燃焼期間が長くなる。尚、多噴口型のインジェクタ６７は、気筒１８内の乱れエネルギの向上に有利であって、燃焼期間の短縮に有効であると共に、その多噴口型のインジェクタ６７とキャビティ１４１との組み合わせによって、燃料噴霧をキャビティ１４１内に収めることもまた、燃焼期間の短縮に有効である。
【００６５】
このように高圧リタード噴射は、噴射期間、混合気形成期間、及び、燃焼期間をそれぞれ短縮し、その結果、図６に示すように、燃料の噴射開始タイミングＳＯＩから燃焼終了時期θｅｎｄまでの、未燃混合気の反応可能時間を、従来の吸気行程中での燃料噴射の場合と比較して大幅に短くすることを可能にする。この反応可能時間を短縮する結果、図６の上段に示す図のように、従来の低い燃料圧力での吸気行程噴射では、白丸で示すように、燃焼終了時における未燃混合気の反応進行度が、着火しきい値を超えてしまい、異常燃焼が発生してしまうところ、高圧リタード噴射は、黒丸で示すように、燃焼終了時における未燃混合気の反応の進行を抑制し、異常燃焼を回避することが可能になる。尚、図６の上図における白丸と黒丸とで、点火タイミングは互いに同じタイミングに設定している。
【００６６】
燃料圧力は、例えば３０ＭＰａ以上に設定することによって、燃焼期間を効果的に短縮化することが可能である。また、３０ＭＰａ以上の燃料圧力は、噴射期間及び混合気形成期間も、それぞれ有効に短縮化することが可能である。尚、燃料圧力は、少なくともガソリンを含有する、使用燃料の性状に応じて適宜設定するのが好ましい。その上限値は、一例として、１２０ＭＰａとしてもよい。
【００６７】
高圧リタード噴射は、気筒１８内への燃料噴射の形態を工夫することによってＳＩモードにおける異常燃焼の発生を回避する。これとは異なり、異常燃焼の回避を目的として点火タイミングを遅角することが、従来から知られている。点火タイミングの遅角化は、未燃混合気の温度及び圧力の上昇を抑制することによって、その反応の進行を抑制する。しかしながら、点火タイミングの遅角化は熱効率及びトルクの低下を招くのに対し、高圧リタード噴射を行う場合は、燃料噴射の形態の工夫によって異常燃焼を回避する分、点火タイミングを進角させることが可能であるから、熱効率及びトルクが向上する。つまり、高圧リタード噴射は、異常燃焼を回避するだけでなく、その回避可能な分だけ、点火タイミングを進角することを可能にして、燃費の向上に有利になる。
【００６８】
以上説明したように、ＳＩモードでの高圧リタード噴射は、噴射期間、混合気形成期間及び燃焼期間をそれぞれ短縮することが可能であるが、ＣＩモードの領域（３）で行う高圧リタード噴射は、噴射期間及び混合気形成期間をそれぞれ短縮することが可能である。つまり、気筒１８内に高い燃料圧力で燃料を噴射することにより気筒１８内の乱れが強くなることで、微粒化した燃料のミキシング性が高まり、圧縮上死点付近の遅いタイミングで燃料を噴射しても、比較的均質な混合気を速やかに形成することが可能になるのである。
【００６９】
ＣＩモードでの高圧リタード噴射は、比較的負荷の高い領域において、圧縮上死点付近の遅いタイミングで燃料を噴射することにより、例えば圧縮行程期間中の過早着火を防止しつつ、前述の通り、概ね均質な混合気が速やかに形成されるため、圧縮上死点以降において、確実に圧縮着火させることが可能になる。そうして、モータリングにより気筒１８内の圧力が次第に低下する膨張行程期間において、圧縮着火燃焼が行われることで、燃焼が緩慢になり、圧縮着火燃焼に伴う気筒１８内の圧力上昇（ｄＰ／ｄｔ）が急峻になってしまうことが回避される。こうして、ＮＶＨの制約が解消される結果、ＣＩモードの領域が高負荷側に拡大する。
【００７０】
このように、領域（３）〜（５）においては、高圧リタード噴射が実行され、この運転状態を高燃圧モードともいう。
【００７１】
ＳＩモードの説明に戻り、前述の通り、ＳＩモードの高圧リタード噴射は、燃料噴射をリタード期間内に行うことによって未燃混合気の反応可能時間を短縮させるものの、この反応可能時間の短縮は、エンジン１の回転数が比較的低い低速域においては、クランク角変化に対する実時間が長いため、有効であるのに対し、エンジン１の回転数が比較的高い高速域においては、クランク角変化に対する実時間が短いため、それほど有効でない。逆に、リタード噴射では、燃料噴射時期を圧縮上死点付近に設定するため、圧縮行程においては、燃料を含まない筒内ガス、言い換えると比熱比の高い空気が圧縮されるようになる。その結果、高速域においては、気筒１８内の圧縮端温度が高くなり、この高い圧縮端温度がノッキングを招くようになる。そのため、領域（５）においてリタード噴射のみを行うときには、点火タイミングを遅角化して、ノッキングを回避しなければならない場合も起き得る。
【００７２】
そこで、図４に示すように、ＳＩモードにおいて相対的に回転数の高い領域（５）では、図５（ｄ）に示すように、噴射する燃料の一部を、吸気行程期間内で気筒１８内に噴射すると共に、残りの燃料をリタード期間内で気筒１８内に噴射をする。吸気行程噴射では、圧縮行程中の筒内ガス（つまり、燃料を含む混合気）の比熱比を下げ、それによって圧縮端温度を低く抑えることが可能である。こうして、圧縮端温度が低くなることで、ノッキングを抑制することが可能になるから、点火タイミングを進角させることが可能になる。
【００７３】
また、高圧リタード噴射を行うことにより、前述の通り、圧縮上死点付近の気筒１８内（燃焼室１９内）において乱れが強くなり、燃焼期間が短くなる。このこともまた、ノッキングの抑制に有利になり、点火タイミングをさらに進角させることが可能になる。そうして、領域（５）においては、吸気行程噴射と高圧リタード噴射との分割噴射を行うことにより、異常燃焼を回避しつつ、熱効率を向上させることが可能になる。
【００７４】
尚、領域（５）において燃焼期間を短縮させるために、高圧リタード噴射を行う代わりに多点点火構成を採用してもよい。つまり、複数の点火プラグを燃焼室内に臨んで配置し、領域（５）においては、吸気行程噴射を実行すると共に、その複数の点火プラグのそれぞれを駆動することにより、多点点火を行う。こうすることで、燃焼室１９内の複数の火種のそれぞれから火炎が広がるため、火炎の広がりが早くて燃焼期間が短くなる。その結果、高圧リタード噴射を採用した場合と同様に燃焼期間を短くして、熱効率の向上に有利になる。
【００７５】
このように、エンジン１は、各運転領域に応じた運転を行っている。
【００７６】
〈発進時の燃料制御〉
また、エンジン１は、発進時（後進も含む）にシフト変更があったときに、燃料の噴射時期をリタードさせる発進時リタード制御を行う。以下に、エンジン１の発進時リタード制御について、図７，８を参照しながら詳しく説明する。図７は、発進時リタード制御におけるクラッチ、シフト及びエンジン回転数の状態を示す図である。図８は、発進時リタード制御の処理を示すフローチャートである。
【００７７】
この発進時リタード制御は、エンジン１の運転状態がアイドリング領域にあるときに行う。アイドリング領域は、図４の領域（０）であり、前記領域（１）に含まれている。つまり、アイドリング領域では、エンジン１は、排気の二度開きにより内部ＥＧＲを実行しつつ、少なくとも吸気行程から圧縮行程中期までの期間内において燃料を噴射し、圧縮着火燃焼を行っている。
【００７８】
発進時には、まず、運転者によりクラッチペダルが操作され、クラッチ９２が遮断される（図７（Ａ）参照）。その後、運転者によりシフトレバー９３が操作され、手動変速機９１におけるギアがニュートラルから１速、２速、又はＲ（後進）等の発進に適切な変速段に変更される。その後、運転者によりクラッチペダルが操作され、クラッチ９２が徐々に締結される。このとき、エンジン回転数は、クラッチ９２が締結されるのに合わせて、一旦低下する。エンジン回転数が低下すると、燃料の噴射量が増加され、エンジン回転数は元の状態に戻る（図４の矢印参照）。
【００７９】
このように、発進時に手動変速機９１のギアをニュートラルから変更すると（厳密には、その後、クラッチ９２を締結すると）、エンジン回転数が一時的に低下する。その結果、エンジン１における１サイクルに要する時間が長くなる。そうすると、気筒１８内の燃料が高温に晒される時間が長くなり、過早着火が生じる可能性が高まる。特に、アイドリング領域では、排気の二度開きによりホットＥＧＲガスが気筒１８内に導入され、混合気が自着火する環境となっている。そのような環境下で、燃料が高温に晒される時間が長期化すると、混合気が所望の着火時期よりも前に自着火してしまう虞がある。
【００８０】
そこで、発進時に過早着火が生じ得る可能性が高いときには、リタード噴射を行うようにする。
【００８１】
詳しくは、ＰＣＭ１０は、ステップＳ１において各種信号の読み込みを行う。具体的には、ＰＣＭ１０は、少なくとも水温センサＳＷ１１、クランク角センサＳＷ１２、燃圧センサＳＷ１６、車速センサＳＷ１７及びポジションセンサＳＷ１８からの出力信号を読み込む。
【００８２】
ステップＳ２では、ＰＣＭ１０は、気筒１８内の温度が高いか否かを判定する。具体的には、ＰＣＭ１０は、エンジン冷却水の温度が所定の水温以上か否かを判定する。所定の水温は、例えば、燃料を吸気行程期間中に気筒内に噴射すると、過早着火等の異常燃焼を生じ得る温度に設定すればよい。つまり、エンジン冷却水の温度から気筒１８内の温度を間接的に判定する。ＰＣＭ１０は、エンジン冷却水の温度が所定の水温以上の場合はステップＳ３へ進む一方、エンジン冷却水の温度が所定の水温未満の場合はリターンへ進む。つまり、エンジン冷却水の温度が所定の水温未満の場合は、過早着火等の可能性が低いので、高圧リタード噴射を行わず、アイドリング領域における通常の燃料噴射（少なくとも吸気行程から圧縮行程中期までの期間内における低い燃料圧力での燃料噴射）を実行する。
【００８３】
次に、ステップＳ３において、ＰＣＭ１０は、車両が停車中か否かを判定する。具体的には、ＰＣＭ１０は、車速が所定の車速以下か否かを判定する。所定の車速は、例えば、車両が停車中と判定できる車速に設定すればよく、例えば、５ｋｍ／ｈである。ＰＣＭ１０は、車速が所定の車速以下の場合はステップＳ４へ進む一方、車速が所定の車速よりも早い場合にはリターンへ進む。
【００８４】
ステップＳ４では、ＰＣＭ１０は、手動変速機９１においてニュートラル状態からのシフト変更があったか否かを判定する。具体的には、ＰＣＭ１０は、ポジションセンサＳＷ１８からの出力信号に基づいて、シフトレバー９３がニュートラルから、１速、２速又はＲ等の他の変速段に変更されたか否かを検出する。ＰＣＭ１０は、シフトレバー９３がニュートラルから変更された場合はステップＳ５へ進む一方、シフトレバー９３がニュートラルから変更されない場合にはリターンへ進む。
【００８５】
ステップＳ５では、ＰＣＭ１０は、燃料供給システム６２を制御して燃料の圧力を高める。具体的には、ＰＣＭ１０は、燃料の圧力を３０ＭＰａ以上に高める。
【００８６】
続いて、ＰＣＭ１０は、ステップＳ６において、エンジン回転数が低下したか否かを判定する。具体的には、ＰＣＭ１０は、エンジン回転数が所定の回転数以下となったか否かを判定する。所定の回転数は、例えば、燃料を吸気行程期間中に気筒内に噴射すると、過早着火等の異常燃焼を生じ得る回転数に設定すればよい。ＰＣＭ１０は、エンジン回転数が所定の回転数以下である場合はステップＳ７へ進む一方、エンジン回転数が所定の回転数よりも高い場合はステップＳ６を繰り返す。
【００８７】
尚、ステップＳ６では、エンジン回転数がシフト変更前よりも低下したか否かを判定する、あるいは、エンジン回転数がシフト変更前よりも所定値以上低下したか否かを判定するようにしてもよい。
【００８８】
ステップＳ７では、ＰＣＭ１０は、燃料噴射時期を遅角させる。具体的には、ＰＣＭ１０は、少なくとも圧縮行程後期から膨張行程初期までの期間内の所定のタイミングで、気筒１８内に燃料噴射を実行する。このとき、燃料の圧力は、先のステップＳ５において、３０ＭＰａ以上に設定されている。
【００８９】
つまり、気筒１８内の温度が高温であり、発進時に手動変速機９１がニュートラルから他の変速段にシフト変更され、エンジン回転数が低下したときには、燃料噴射時期が遅角される。これにより、混合気が高温に晒される時間を短くすることができるので、過早着火等の異常燃焼が生じることを抑制することができる。
【００９０】
一方、気筒１８内の温度が低温のときや、車両た停車中でないときや、手動変速機９１がニュートラルからシフト変更されないときには、アイドリング領域の通常の設定で燃料噴射が実行される。
【００９１】
したがって、実施形態１のエンジン１は、気筒１８を有し、幾何学的圧縮比が１５以上に設定されたエンジン本体と、前記エンジン本体に接続された手動変速機９１と、前記気筒１８内に燃料を噴射するように構成されたインジェクタ６７と、少なくとも前記インジェクタ６７を制御することによって前記エンジン本体を運転するように構成されたＰＣＭ１０とを備え、前記ＰＣＭ１０は、発進時に前記手動変速機９１がニュートラル状態から変更されて前記エンジン本体の回転数が低下したときには、前記インジェクタ６７による燃料噴射時期を該手動変速機９１の状態変更前よりも遅角させる。
【００９２】
前記の構成によれば、発進時に前記手動変速機９１がニュートラル状態から変更されて前記エンジン本体の回転数が低下したときには、燃料噴射時期が遅角されるため、未燃混合気が高温に晒される時間が短くなる。その結果、過早着火等の異常燃焼の発生を抑制することができる。
【００９３】
また、エンジン１は、前記インジェクタ６７が噴射する燃料の圧力を設定するように構成された燃料供給システム６２をさらに備え、前記ＰＣＭ１０は、発進時に前記手動変速機９１がニュートラル状態から変更され且つ前記エンジン本体の回転数が低下したときの燃料噴射の燃料の圧力を、前記燃料供給システム６２を制御して該手動変速機９１の状態変更前よりも高くする。すなわち、燃料噴射時期を遅角させるときの燃料の圧力を手動変速機９１の変更前よりも高くする。具体的には、燃料の圧力を３０ＭＰａ以上とする。
【００９４】
燃焼噴射時期を遅角させると、噴射開始から所望の着火時期までの時間が短くなる。燃料の圧力によっては、必要な燃料を所望の着火時期までに噴射し切れない場合も生じ得る。そこで、燃料の圧力を高くすることによって、単位時間当たりに噴射される燃料が増大するので、必要な燃料を所望の着火時期までに噴射し切ることができる。
【００９５】
さらに、燃料の圧力を上昇させると、前記噴射期間及び混合気形成期間を短縮することができる。そのため、同じ燃圧で噴射時期だけを遅角させる場合に比べて、未燃混合気が高温に晒される時間をより短くすることができる。
【００９６】
それに加えて、燃料の圧力を上昇させると、微粒化した燃料のミキシング性が高まり、概ね均質な混合気を速やかに形成することができる。そのため、噴射時期を遅角させたとしても、確実に圧縮着火させることができる。
【００９７】
また、前記ＰＣＭ１０は、発進時に前記手動変速機９１がニュートラル状態から変更されたときに、前記燃料供給システム６２を制御して燃料の圧力を高めておく。
【００９８】
燃料供給システム６２においては、燃料ポンプ６３によって燃料の圧力を上昇させる。そのため、燃料の圧力を上昇させるのには多少なりとも時間を要する。そのため、エンジン回転数が低下するときに備えて、手動変速機９１のシフト変更があった時点で燃料の圧力を前もって高めておく。そうすることで、その後にエンジン回転数が低下したときに高い圧力の燃料を即座に噴射することができる。
【００９９】
また、エンジン１は、排気ガスを前記気筒１８内に導入するように構成された排気還流機構としての排気弁２２及びＶＶＬ７１をさらに備え、前記ＰＣＭ１０は、アイドリング時には、前記排気弁２２及びＶＶＬ７１によって前記気筒１８内に前記排気ガスを導入すると共に、前記気筒１８内の混合気を自着火により燃焼させる圧縮着火燃焼を行って前記エンジン本体を運転するように構成されている。
【０１００】
エンジン１は、発進前はアイドリング状態であり、そのアイドリング時にはＥＧＲを行うと共に、圧縮着火燃焼を行っている。すなわち、発進前は、気筒１８内を高温にして、混合気が自着火する環境にしている。そのため、このような状態で、エンジン回転数が低下して、未燃混合気が高温に晒される時間が長くなると、過早着火等の異常燃焼が生じ易くなる。つまり、このようなエンジン１においては、前述のリタード噴射を行うことが特に有効である。
【０１０１】
また、前記ＰＣＭ１０は、前記気筒１８内の温度が所定温度以上のときに、前記燃料噴射時期を遅角させる制御を行う。
【０１０２】
つまり、気筒１８内の温度が低ければ、エンジン回転数が低下しても過早着火等の異常燃焼が生じる可能性が低い。そのため、気筒１８内の温度が低いときには、燃料噴射時期を不要に遅角させない。それにより、吸気流動と混合気形成期間の長期化とが相俟って、均質な混合気が形成することができる。
【０１０３】
尚、ＰＣＭ１０は、燃料噴射時期を遅角させる際には、圧縮行程後期から膨張行程初期までの期間内の所定のタイミングまで一律に遅角させているが、これに限られるものではない。例えば、ＰＣＭ１０は、気筒１８内の温度（例えば、エンジン冷却水の温度）に応じて、燃料噴射時期を遅角させる量を調整してもよい。具体的には、気筒１８内の温度が高いほど、燃料噴射時期を遅角させる量を多くしてもよい。つまり、気筒１８内の温度が高くなるほど、過早着火等の異常燃焼が生じる可能性が高くなるので、それに応じて、燃料噴射時期を遅角させる量を多くする。こうすることで、異常燃焼の回避と均質な混合気の形成とのバランスを図ることができる。
【０１０４】
そのときには、燃料の圧力も、気筒１８内の温度（例えば、エンジン冷却水の温度）に応じて調整してもよい。具体的には、気筒１８内の温度が高くなるほど、燃料の圧力を高くしてもよい。前記の構成によれば、気筒１８内の温度が高くなるほど、燃料噴射時期が遅角されるので、燃料の噴射開始時期から所望の着火タイミングまでの期間が短くなる。そのため、必要な燃料を、所望の着火タイミングまでに噴射し切れない虞もある。そこで、遅角させた燃料噴射時期から所望の着火タイミングまでの期間に必要な燃料を噴射し切れるような圧力に燃料の圧力を設定するようにする。
【０１０５】
《実施形態２》
続いて、実施形態２について説明する。
【０１０６】
実施形態２に係るエンジン１は、燃料の分割噴射を行う。
【０１０７】
詳しくは、ＰＣＭ１０は、少なくともアイドリング領域（０）においては、インジェクタ６７を制御して、吸気行程から圧縮行程中期までの間に１回、圧縮行程後期から膨張行程初期の間に１回、合計２回の燃料噴射を実行する。以下、先の燃料噴射を前段噴射、後の燃料噴射を後段噴射という。
【０１０８】
通常は、ＰＣＭ１０は、後段噴射の噴射量よりも前段噴射の噴射量の方を多くしており、より多くの燃料が圧縮行程後期までに噴射されるようにインジェクタ６７を制御している。例えば、前段噴射の噴射量と後段噴射の噴射量との比を９：１に設定している。
【０１０９】
それに対し、気筒１８内の温度が高温であり、発進時に手動変速機９１がニュートラルから他の変速段にシフト変更され、エンジン回転数が低下したときには、全噴射量に対する後段噴射の噴射量の割合を、シフト変更前よりも高くする。例えば、前段噴射の噴射量と後段噴射の噴射量との比を１：９に設定する。これにより、前述のリタード噴射と類似した作用効果を奏することができる。つまり、後段噴射の噴射量の割合を高くすることによって、高温に晒される燃料を低減することができ、過早着火等の異常燃焼の発生を抑制することができる。
【０１１０】
また、後段噴射の噴射量の割合を高くするときには、燃料の圧力を高める。具体的には、燃料の圧力を３０ＭＰａとする。
【０１１１】
後段噴射の噴射量の割合を高くすると、燃料の圧力によっては、必要な燃料を所望の着火時期までに噴射し切れない場合も生じ得る。そこで、燃料の圧力を高くすることによって、単位時間当たりに噴射される燃料が増大するので、必要な燃料を所望の着火時期までに噴射し切ることができる。
【０１１２】
さらに、燃料の圧力を上昇させると、前記噴射期間及び混合気形成期間を短縮することができる。そのため、同じ燃圧で後段噴射の噴射量の割合だけを高くする場合に比べて、未燃混合気が高温に晒される時間をより短くすることができる。
【０１１３】
それに加えて、燃料の圧力を上昇させると、微粒化した燃料のミキシング性が高まり、概ね均質な混合気を速やかに形成することができる。そのため、後段噴射の噴射量の割合を高くしたとしても、確実に圧縮着火させることができる。
【０１１４】
また、実施形態１と同様に、ＰＣＭ１０は、手動変速機９１のシフト変更があった時点で燃料の圧力を前もって高めておく。さらには、ＰＣＭ１０は、前記気筒１８内の温度が所定温度以上のときに、前記後段噴射の噴射量の割合を高くする制御を行う。
【０１１５】
したがって、実施形態２のエンジン１は、気筒１８を有し、幾何学的圧縮比が１５以上に設定されたエンジン本体と、前記エンジン本体に接続された手動変速機９１と、前記気筒１８内に燃料を噴射するように構成されたインジェクタ６７と、少なくとも前記インジェクタ６７を制御することによって前記エンジン本体を運転するように構成されたＰＣＭ１０とを備え、前記ＰＣＭ１０は、吸気行程から圧縮行程の間に、少なくとも前段噴射と該前段噴射よりも後の後段噴射とを含む分割噴射を前記インジェクタ６７に行わせるように構成されており、発進時に前記手動変速機９１がニュートラル状態から変更されて前記エンジン本体の回転数が低下したときには、前記インジェクタ６７による全噴射量に対する前記後段噴射の噴射量の割合を該手動変速機９１の状態変更前よりも高くする。
【０１１６】
前記の構成によれば、発進時に前記手動変速機９１がニュートラル状態から変更されて前記エンジン本体の回転数が低下したときには、後段噴射の噴射量の割合が高くなるため、長期間、高温に晒される燃料が低減される。その結果、過早着火等の異常燃焼の発生を抑制することができる。
【０１１７】
尚、前述の前段噴射の噴射量と後段噴射の噴射量との比は一例であって、これ以外の比であってもよい。
【０１１８】
また、前段噴射が先で後段噴射が後である限り、それぞれの噴射時期をどのタイミングに設定してもよい。例えば、前段噴射及び後段噴射の両方を圧縮行程後期から膨張行程初期の間に設定してもよい。
【０１１９】
さらに、全噴射量に対する後段噴射の噴射量の割合は、気筒１８内の温度に応じて調整してもよい。具体的には、気筒１８内の温度が高くなるほど、全噴射量に対する後段噴射の噴射量の割合を高くしてもよい。さらには、後段噴射の噴射量が多すぎると、燃料の圧力が低いままでは、所望の着火タイミングまでに必要な燃料を噴射し切れない場合も生じ得る。そこで、全噴射量に対する後段噴射の噴射量の割合を高くするのに合わせて、燃料の圧力を上昇させてもよい。
《その他の実施形態》
前記実施形態では、アイドリング領域（０）において、排気の二度開きによる内部ＥＧＲを行いつつ、圧縮着火燃焼を行っているが、これに限られるものではない。すなわち、アイドリング領域（０）においては、ＥＧＲを行っていてもよいし、行っていなくてもよい。ＥＧＲを行うとしても、排気の二度開きによるものでなくてもよい。また、燃焼形態も、圧縮着火燃焼に限られるものではない。
【０１２０】
前記実施形態１では、発進時のシフト変更があってエンジン回転数が低下したときに燃料噴射時期を圧縮行程後期から膨張行程初期までの期間内の所定のタイミングまで遅角させているが、これに限られるものではない。すなわち、シフト変更前よりも燃料噴射時期を遅角させる限りは、燃料噴射時期は前記タイミングに限られるものではない。
【０１２１】
前記実施形態では、燃料噴射時期を遅角させるとき、又は後段噴射の噴射量の割合を高くするときには、燃料の圧力を高めているが、これに限られるものではない。すなわち、燃圧を変えることなく、燃料噴射時期を遅角させたり、後段噴射の噴射量の割合を高くしてもよい。
【０１２２】
前記フローチャートにおける各ステップは、前述の作用効果を奏する限りにおいては、適時順序を変更したり、並列に処理したりしてもよい。
【０１２３】
また、前記実施形態では、気筒１８内の温度を、エンジン冷却水の水温を用いて間接的に検出しているが、これに限られるものではない。気筒１８内の温度を検出できる限りにおいては、任意の構成を採用することができる。
【０１２４】
また、吸気行程期間内における燃料噴射は、気筒１８内に設けたインジェクタ６７ではなく、別途、吸気ポート１６に設けたポートインジェクタを通じて、吸気ポート１６内に燃料を噴射してもよい。
【０１２５】
また、エンジン１は、直列４気筒エンジンに限らず、直列３気筒、直列２気筒、直列６気筒エンジン等に適用してもよい。また、Ｖ型６気筒、Ｖ型８気筒、水平対向４気筒等の各種のエンジンに適用可能である。
【０１２６】
さらに、前記の説明では、所定の運転領域において混合気の空燃比を理論空燃比（λ≒１）に設定しているが、混合気の空燃比をリーンに設定してもよい。但し、空燃比を理論空燃比に設定することは、三元触媒の利用が可能になるという利点がある。
【０１２７】
図４に示す運転領域は例示であり、これ以外にも様々な運転領域を設けることが可能である。
【０１２８】
また、高圧リタード噴射は、必要に応じて分割噴射にしてもよく、同様に、吸気行程噴射もまた、必要に応じて分割噴射にしてもよい。これらの分割噴射では、吸気行程と圧縮行程とのそれぞれにおいて燃料を噴射してもよい。
【０１２９】
以上のように、本出願において開示する技術の例示として、前記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【産業上の利用可能性】
【０１３０】
以上説明したように、ここに開示された技術は、火花点火式直噴エンジンについて有用である。
【符号の説明】
【０１３１】
１      エンジン（エンジン本体）
１０    ＰＣＭ（制御器）
１８    気筒
２２    排気弁（排気還流機構）
６２    燃料供給システム（燃圧設定機構）
６７    インジェクタ（燃料噴射弁）
７１    ＶＶＬ（排気還流機構）
９１    手動変速機
【図１】
2014051937.tif 000003
【図２】
2014051937.tif 000004
【図３】
2014051937.tif 000005
【図４】
2014051937.tif 000006
【図５】
2014051937.tif 000007
【図６】
2014051937.tif 000008
【図７】
2014051937.tif 000009
【図８】
2014051937.tif 000010